(57)【要約】本発明は、ボウリングのボールを操作するためのリスト・サポート器具に関する。前記器具は、個々にハンド・プレートの両側に設置された固定ローラーおよび可動ローラーでストラップを締め付けることにより効果的にハンド・プレートに手首の背中側を押しつけるストラップ・コントローラーが加えられたハンド・プレートと；使用者にハンド・プレートとリスト・プレートの正確な配置角度を事前に選択することを可能にするためにハンド・プレートの上および底に設置された突起を含む回転角度機構と；上側および下側に動かすために角度コントロールを簡単にするシルを有する角度コントロールゲージと；そして、ハンド・プレートが接続されているリスト・プレートの両側に取り付けられたリスト・ストラップの固定ローラーと；からなり、そして、使用者がリスト・サポートを両方の手で快適な位置に調節することを可能にする。
2005520654.tif 000002
【特許請求の範囲】
【請求項１】
角度調節手段を有するボーリング用リスト・サポート器具であって、
ハンド・パッドを手の甲にしっかりと固定するハンド・ストラップの一端を入れるためのハンド・ストラップ用溝であって、ハンド・ストラップを所望の位置に調節して固定するためにギザギザの突起部を備えるハンド・ストラップ用溝と；
ハンド・ストラップを締め付ける時に、摩擦を減少することにより前記ハンド・ストラップ用溝に締め付けられたハンド・ストラップを引っ張るのを手助けする固定ローラーと；
固定ローラーにより強く引っ張られるハンド・ストラップをよりしっかりと引き、それにより、ハンド・ストラップがマジックテープにより、最適化された張力で締め付けられることができる可動ローラーと；
リスト・パッドに対して好ましい角度で、ハンド・パッドを自由に調節し、しっかりと固定するために、ハンド・パッドの上面およびセンター・プレートの底面に形成されたギザギザの突起部を含む水平角度調節手段と；
リスト・パッドの一端に配置された支持チップから抜け出るのを防ぐために、その外周にフランジが形成され、リスト・パッドに対するハンド・パッドの垂直角度を調節するための垂直角度調節手段と；からなるリスト・サポート器具。
【請求項２】
リスト・パッドが対称な形を有するので、リスト・パッドをその方向に関係なくどのハンド・パッドにも取り付けることができることを特徴とする請求項１に記載のリスト・サポート器具。
【請求項３】
複数の浮き出しの突起が、ハンド・ストラップ用溝の周辺に配置されていることを特徴とする請求項１に記載のリスト・サポート器具。
【請求項４】
リスト・パッドが、リスト・ストラップをしっかりと固定するために複数のギザギザの突起が形成されたリスト・ストラップ用溝を備えることを特徴とする請求項１に記載のリスト・サポート器具。
【発明の詳細な説明】
【技術分野】
【０００１】
本発明はボーリング用リスト・サポート器具に関するもので、特に、ハンド・パッドを手の甲にしっかりと固定するハンド・ストラップの一端を入れるためのハンド・ストラップ用溝であって、ハンド・ストラップを所望の位置に調節して固定するためにギザギザの突起部を備えるハンド・ストラップ用溝と；ハンド・ストラップを締め付ける時、ハンド・ストラップを引っ張るのを手助けする固定ローラーと；固定ローラーにより強く引っ張られるハンド・ストラップをさらに堅固に引き、それによりハンド・ストラップが最適化された張力で締め付けられることができる可動ローラーと；リスト・パッドと関係して希望する角度に自由に調節して固定するためのギアのような突起部を有する水平角度調節手段と；その動きを制限するためにフランジを備え、リスト・パッドと関係してハンド・パッドの垂直角度を調節するための垂直角度調節手段と；左側と右側の方向に対称な形状を有し、それにより、その方向に関係なくどのハンド・パッドにも装着可能なリスト・パッドとからなるリスト・サポート器具に関する。
【背景技術】
【０００２】
一般的に、ほとんどのボウラーは、効率的にピンにぶつけるカーブした軌道ラインを作るために、ボールに適切な回転及びスピンを与えるためのリスト・サポート器具を着ける。最近では、そのようなリスト・サポート器具が多様なデザインおよび機能で開発されている。例を挙げると、本発明の出願入により発明された韓国特許登録第１００２５４１１６０００号は、その上に複数の凹部を有するハンド・パッドと；スプリングにより弾性支持されたボールにより前記ハンド・パッドの前記凹部とピッタリはまる円形のセンターパネルと；その上に形成された開口を通して前記ハンド・パッド、前記センターパネルおよび垂直角度調節手段を固定する蝶ナットとからなるリスト・サポート器具を開示している。別の例として、韓国実用新案登録第２００１６５４８０００００号は、リスト・パッドの長手方向にケースを通って回転自在に挿入されたネジ付きシャフトと；滑動部が前記ネジ付きシャフトの回転に応じて直線的に動くために、前記ネジ付きシャフトと噛み合うネジ付き孔をその中に有する滑動部と；前記滑動部に堅固に取り付けられた固定孔を有するプレートと；そして、ヒンジによりハンド・パッドに回転軸のように固定されるロッキングプレートとからなる垂直角度調節手段を備えるリスト・サポート器具を開示している。
【発明の開示】
【発明が解決しようとする課題】
【０００３】
上述したように、ほとんどのボーリング用リスト・サポート器具は、接続手段および角度調節手段を備えている。しかしながら、接続手段および角度調節手段は、それらを着用後でも、少し調節されなければならない。
【課題を解決するための手段】
【０００４】
したがって、本発明の目的は、ハンド・パッドを手の甲にしっかりと固定するハンド・ストラップの一端を入れるためのハンド・ストラップ用溝、ハンド・パッドの一端のすぐ近くに形成され、ハンド・ストラップを所望の位置に調節して固定するためにギザギザの突起部を備えるハンド・ストラップ用溝と；ハンド・ストラップを締め付ける時に、摩擦を減少させることにより前記ハンド・ストラップ用溝に締め付けられたハンド・ストラップを引っ張るのを手助けする固定ローラーと；固定ローラーにより強く引っ張られるハンド・ストラップをさらに堅固に引き、それによって、マジックテープにより、ハンド・ストラップが最適化された張力で締め付けられることができる可動ローラーと；リスト・パッドと関係して希望する角度に自由に調節して固定するために、ギザギザの突起部を備えている上部および前記上部のそれらと噛み合うギザギザの突起部を備える下部を含む水平角度調節手段と；リスト・パッドの一端に配置された支持チップから抜け出るのを防ぐためにその外周にフランジが形成され、リスト・パッドと関係してハンド・パッドの垂直角度を調節するための垂直角度調節手段と；その左側端部および右側端部に同じ固定ローラーが配置されることにより対称な形を有し、おのおの、それにより、その方向に関係なくどのハンド・パッドにも装着されることが可能なリスト・パッドとからなるリスト・サポート器具を提供することである。
【０００５】
本発明の他の目的は、ハンド・ストラップの一端を調節するためのハンド・ストラップ用溝であって、ハンド・パッドの一端のすぐ近くに形成され、ハンド・ストラップを固定するためにギザギザの突起部を備えるハンド・ストラップ用溝を含んだリスト・サポート器具を提供することである。
【０００６】
本発明のさらに他の目的は、リスト・パッドの向きを確認する煩わしさを取り除くことができるという利点のために、ハンド・パッドに接続された対称な形のリスト・パッドを含むリスト・サポート器具を提供することである。
【０００７】
本発明のさらに他の実施形態において、リスト・サポート器具は、所望の位置にハンド・ストラップを調節して固定するためにギザギザの突起部を有するハンド・ストラップ用溝を備える。
【発明を実施するための最良の形態】
【０００８】
上述の目的を達成するために、本発明の実施形態は、ハンド・パッドを手の甲にしっかりと固定するハンド・ストラップの一端を入れるためのハンド・ストラップ用溝であって、ハンド・ストラップを所望の位置に調節して固定するためにギザギザの突起部を備えるハンド・ストラップ用溝と；ハンド・ストラップを締め付ける時、ハンド・ストラップを引っ張るのを手助けする固定ローラーと；固定ローラーにより強く引っ張られるハンド・ストラップをさらに堅固に引き、それによりハンド・ストラップが最適化された張力で締め付けられることができる可動ローラーと；リスト・パッドと関係して希望する角度に自由に調節して固定するために、ギアのような突起部を有する水平角度調節手段と；その外周にフランジを備え、リスト・パッドと関係してハンド・パッドの垂直角度を調節するための垂直角度調節手段と；左側と右側の方向に対称な形状を有し、それにより、その方向に関係なくどのハンド・パッドにも装着可能なリスト・パッドとからなる。
【０００９】
以下に、本発明の好ましい実施形態を添付の図面を参照して詳しく説明する。
【００１０】
図１，２，３，および４を参照すると、リスト・サポート器具１００は、十分な構造的硬直性を有する金属または非金属からなるハンド・パッド１０１およびリスト・パッド２００から構成される。これらのパッドの内面は、使用者に快適性を提供するために、ウレタンのような弾力材３００で覆われている。
【００１１】
それにハンド・ストラップ１０２を固定するためのハンド・ストラップ用溝１０３が、ハンド・パッド１０１の一端の近くに形成される。ハンド・ストラップ１０３は、所望の位置にハンド・ストラップ１０２を正確に調節し、ハンド・ストラップが引っ張られた時に、滑るのを防ぐために、ギザギザの突起部１０４を備える。さらに、ハンド・パッド１０１に手をくくるハンド・ストラップ１０２の引っ張りを手助けするだけでなく、摩擦により引き起こされるハンド・ストラップ１０２の損傷を防ぐ、ハンド・ストラップ１０３溝１０３の反対側に固定ローラー１０５が設置されている。図４に示すように、可動ローラー１０６のぐるりに巻かれたハンド・ストラップ１０２は、マジックテープ１０７により最後に固定される。
【００１２】
可動ローラー１０６の部分的な回転により、ボウラーがさらにハンド・ストラップ１０２を締め付けるためにハンド・ストラップ１０２を垂直に引っ張ったとしても、ボウラーの手の甲とハンド・ストラップ１０１の分離はめったに起こらない。さらに、ハンド・ストラップ１０２がハンド・パッド１０１にしっかりと引っ張られる時、頻繁に生じるハンド・パッド１０１の偏りは、可動ローラー１０６の働きによって効果的に抑制される。
【００１３】
ハンド・パッド１０１の水平角度をコントロールするための水平角度調節手段１１０と、リスト・パッド２００の垂直角度をコントロールする垂直角度調節手段２０１は、ハンド・パッド１０１の一端の中心にインタラクティブに取り付けられている。
【００１４】
図２に示すように、ハンド・パッド１０１の一端の中心にギザギザの突起部１１１が形成されている。ハンド・パッド１０１のギザギザの突起部１１１に噛み合うことにより垂直角度調節手段１１０を構成するためのセンタープレート１１２は、その底面に前記ギザギザの突起部１１１と同じ複数のギザギザの突起部１１３と、そこから外側に伸びる支持ブリッジ１１５と、そして前記支持ブリッジ１１５の一端に形成された接続孔１１４とからなる。上記説明から解るように、ハンド・パッド１０１に形成されたギザギザの突起部１１３と、センター・プレート１１２の底面に形成されたギザギザの突起部１１３は、互いに噛み合わされるので、ハンド・パッド１０１の垂直角度を正確に調節し、ボウリングの間、ハンド・パッド１０１の垂直角度をしっかりと固定することができる。
【００１５】
ネジ付きシャフト２０２に取り付けられたハンドル２０３と、ワッシャ２０４と、スプリング２０５と、そして階段形状の外観を有する角度調節ディスク２０８とからなる垂直角度調節手段２０１は、ハンド・パッド１０１およびセンター・プレート１１２の上側に設置されている。垂直角度調節手段２０１は、ハンドル２０３のネジ付きシャフト２０２にナット２０６を取り付けることにより、ハンド・パッド１０１とセンター・プレート１１２と共に固定される。
【００１６】
垂直角度調節手段２０１は、階段形状の外観を有する角度調節ディスク２０８を回転させることにより、リスト・パッド２００を超えてハンド・パッド１０１の角度を変化させ、角度調節ディスクは、リスト・パッド２００の一端に設置された支持チップ２０９により保持される。角度調節ディスク２０８は、その外周に、支持チップ２０９を覆うフランジ２０７を備え、それにより、ボウラーの袖のような外側のものとの妨害を効果的に阻止される。
【００１７】
センター・プレート１１２から伸びる支持ブリッジ１１５は、リベットやボルトのような手段を締めることによりリスト・パッド１１５の接続部２１０に回転可能に接続されている。
【００１８】
対称な形を有するリスト・パッド２００は、リスト・ストラップ用可動ローラー２１２，２１３に対応するために、その両側に挿入孔２１１が備えられている。その両側に同一の形の可動ローラー２１２，２１３を備えるリスト・パッド２００は対称なので、その方向によるリスト・パッド２００の製造に関するコストは著しく減少される。
【００１９】
左利きのボウラーが本発明のリスト・サポート器具を装着する場合、図９に示すように、リスト・ストラップ２１４の一端は左側可動ローラー２１２に取り外せないように固定され、その一方、リスト・ストラップ２１４のもう一方の端は右側可動ローラー２１３を取り巻いて、マジックテープ１０７によって固定される。
【００２０】
右利きのボウラーが本発明のリスト・サポート器具を装着する場合、図１０に示すように、リスト・ストラップ２１４の一端は右側可動ローラー２１２に取り外せないように固定され、その一方、リスト・ストラップ２１４のもう一方の端は左側可動ローラー２１３を取り巻いて、マジックテープ１０７によって固定される。
【００２１】
さらに、リスト・パッド２００の剛性を強化するために、リスト・パッド２００の上面２１５に追加要素２１６を埋め込むことが好ましい。その一方では、リスト・パッド２００の底面に、快適性を向上させるために、弾性材３００が取り付けられる。
【００２２】
本発明の別の実施形態を示す添付の図１１は、その上にリスト・ストラップ用溝４００が形成されたリスト・パッド２２０を含むリスト・サポート器具を開示し、リスト・ストラップ用溝４００は、所望の位置にリスト・ストラップ２１４を簡単に調節し、しっかりと固定するために複数のギザギザの突起部４０１が備えられている。
【００２３】
上述したように、ハンド・ストラップ用溝と、固定ローラーと、可動ローラーと、水平角度調節手段と、垂直角度調節手段と、そして対象な形のリスト・パッドからなる本発明によるリスト・サポート器具は、ハンド・パッドとリスト・パッドとの水平角度および／又は垂直角度が簡単に調節されるだけではなく、対象な形のリスト・パッドを用いることにより生産性における著しい改善が期待できるという利点がある。
【００２４】
本発明は、１つの実施形態を参照して詳細に説明されたが、本発明の範囲を制限することを意図するものではない。本発明の本質的な概念から逸脱することなく、本発明分野における当業者により多くの変更および改良が行われることは、上記内容から明らかである。
【図面の簡単な説明】
【００２５】
【図１】本発明によるリスト・サポート器具の斜視図である。
【図２】本発明によるハンド・パッド組立品の分解斜視図である。
【図３】ハンド・ストラップの装置を有する本発明によるハンド・パッド組立品の拡大斜視図である。
【図４】本発明によるローラーに締め付けられたハンド・ストラップの状態を示す断面図である。
【図５】その上にギザギザの突起部が形成された本発明によるハンド・パッド組立品の分解斜視図である。
【図６】本発明による水平角度調節手段と垂直角度調節手段の組合わせを示す断面図である。
【図７】本発明による垂直角度調節手段の一実施形態を示す断面図である。
【図８】本発明によるリスト・パッドの平面図である。
【図９】左利きボウラーの場合の本発明によるリスト・パッドのローラーにより締めつけられたリスト・ストラップの状態を示す断面図である。
【図１０】右利きボウラーの場合の本発明によるリスト・パッドのローラーにより締めつけられたリスト・ストラップの状態を示す断面図である。
【図１１】本発明の他の実施形態である。
【図１】
2005520654.tif 000003
【図２】
2005520654.tif 000004
【図３】
2005520654.tif 000005
【図４】
2005520654.tif 000006
【図５】
2005520654.tif 000007
【図６】
2005520654.tif 000008
【図７】
2005520654.tif 000009
【図８】
2005520654.tif 000010
【図９】
2005520654.tif 000011
【図１０】
2005520654.tif 000012
【図１１】
2005520654.tif 000013
【国際調査報告】
2005520654.tif 000014